(57)【要約】【課題】一包化薬剤における分包袋内の薬の数や種類を、正確かつ迅速に監査するための装置の提供を図る。【解決手段】一包化薬剤を監査するための装置であって、略中央箇所に分包袋の載置部を有する透明板を備えて成る分包袋載置台と、前記透明板から上方に所定間隔を置いて設置される上方カメラと、前記透明板から下方に所定間隔を置いて設置される下方カメラと、前記上方カメラ及び前記下方カメラにより撮影された画像を映し出すモニターと、から構成されている。【選択図】図１
2012165876.tif 000002
【特許請求の範囲】
【請求項１】
一包化薬剤を監査するための装置であって、
略中央箇所に分包袋の載置部を有する透明板を備えて成る分包袋載置台と、
前記透明板から上方に所定間隔を置いて設置される上方カメラと、
前記透明板から下方に所定間隔を置いて設置される下方カメラと、
前記上方カメラ及び前記下方カメラにより撮影された画像を映し出すモニターと、
から構成されていることを特徴とする一包化薬剤監査装置。
【請求項２】
前記一包化薬剤監査装置において、
画像分割装置を介して、前記上方カメラ及び前記下方カメラにより夫々撮影された画像が一のモニターで映し出されることを特徴とする請求項１に記載の一包化薬剤監査装置。
【請求項３】
前記一包化薬剤監査装置において、
前記モニターにタッチパネル方式を採用したことを特徴とする請求項１または請求項２に記載の一包化薬剤監査装置。
【請求項４】
前記一包化薬剤監査装置において、
薬剤個数認識機能を有するコンピュータを介して、薬剤個数が自動認識されることを特徴とする請求項１から請求項３のいずれかに記載の一包化薬剤監査装置。
【請求項５】
前記一包化薬剤監査装置において、
刻印認識機能を有するコンピュータを介して、薬剤に刻印された文字が自動認識されることを特徴とする請求項１から請求項４のいずれかに記載の一包化薬剤監査装置。
【請求項６】
前記一包化薬剤監査装置において、
前記コンピュータに情報記録機能が備えられ、監査日時及び撮影画像が記録されることを特徴とする請求項４または請求項５に記載の一包化薬剤監査装置。
【発明の詳細な説明】
【技術分野】
【０００１】
本発明は、一包化薬剤の監査装置に関し、詳しくは、一種以上の薬剤を一包化する際における分包袋内の薬の数や種類を監査するための装置に関するものである。
【背景技術】
【０００２】
従来より、複数種の薬剤を服用する患者に対し、服用すべき薬剤の個数や種類の間違いを無くし、かつ、服用の手間を省くべく、１回ごとに服用すべき薬剤を一の分包袋に内包する、いわゆる一包化が行われている。
この一包化に際して、分包袋に内包された薬剤の個数や種類に間違いがないよう、一包化後に分包袋内の薬剤個数や種類を一つ一つ監査する作業が行われている。
かかる監査は、通常、監査人により直接目視することによって行われている。すなわち、分包袋を一つ一つ手に取り、監査人が外部から目視して、該分包袋内の薬剤個数を確認するとともに、薬剤の種類に応じて刻印されている文字を読み取ることで、薬剤の種類を確認しているのが現状である。
【０００３】
かかる監査の手法によると、監査人の労力が非常に煩雑であるとともに、大変時間もかかるものであり、患者を長時間待たせることになってしまう。
また、薬剤の刻印は片面のみであることから、分包袋の片面側のみを目視しても、全ての薬剤が刻印面を同じ方向に向けているとは限らないため、直ちに全ての薬剤の種類を認識することが難しく、全ての薬剤の刻印を読み取るためには、分包袋を裏返して反対面からも目視する必要がある。その分包袋を裏返す際に、薬剤も分包袋内で動いてしまって向きを変えてしまうことがあり、結局分包袋の裏表を何度も繰り返し反転させて確認を行っている現状があった。
さらには、薬剤の刻印されている文字は非常に小さいため、一見して瞬時に読み取ることは困難であり、かつ、それを読み取る監査人の眼は、疲労を極めることとなっていた。
【０００４】
上記問題を解決すべく、特開平９−２５３１６３号公報（特許文献１）において、機械的に一包化薬剤の監査を行う技術が提案されている。該特許文献１記載の技術は、分包袋の片側をカメラで映し出し、内包された薬剤の色・形状・寸法によりその種類を自動で判断する、というものである。
しかしながら、この技術によれば、刻印による薬剤の種類判別を行うものではないため、同一色・同一形状の別種薬剤を認識することはできず、その判断結果の正確性に疑問が残る。
【０００５】
【特許文献１】特開平９−２５３１６３号公報
【発明の概要】
【発明が解決しようとする課題】
【０００６】
分包袋に内包された薬剤の種類を正確に認識するためには、薬剤の刻印を読み取ることが一番大事である。そこで本発明は、一包化薬剤における分包袋内の薬剤個数や種類を、正確かつ迅速に監査するための装置を提供することを目的とするものである。
【課題を解決するための手段】
【０００７】
上記目的を達成するため、請求項１記載の発明は、一包化薬剤を監査するための装置であって、略中央箇所に分包袋の載置部を有する透明板を備えて成る分包袋載置台と、前記透明板から上方に所定間隔を置いて設置される上方カメラと、
前記透明板から下方に所定間隔を置いて設置される下方カメラと、前記上方カメラ及び前記下方カメラにより撮影された画像を映し出すモニターと、から構成されている。
【０００８】
また、請求項２記載の発明は、前記一包化薬剤監査装置において、画像分割装置を介して、前記上方カメラ及び前記下方カメラにより夫々撮影された画像が一のモニターで映し出される構成を採用している。
【０００９】
さらに、請求項３記載の発明は、前記一包化薬剤監査装置において、前記モニターにタッチパネル方式を採用した構成となっている。
【００１０】
またさらに、請求項４記載の発明は、前記一包化薬剤監査装置において、薬剤個数認識機能を有するコンピュータを介して、薬剤個数が自動認識される構成を採用している。
【００１１】
そしてまた、請求項５記載の発明は、前記一包化薬剤監査装置において、刻印認識機能を有するコンピュータを介して、薬剤に刻印された文字が自動認識される構成を採用する。
【００１２】
そしてさらに、請求項６記載の発明は、前記一包化薬剤監査装置において、前記コンピュータに情報記録機能が備えられ、監査日時及び撮影画像が記録される
構成となっている。
【発明の効果】
【００１３】
本発明にかかる一包化薬剤監査装置によれば、一包化された薬剤をカメラで撮影し、その拡大画像をモニターに映し出すため、分包袋に内包された薬剤の個数を容易にカウントすることができるとともに、薬剤に刻印された文字も容易に読み取ることが可能となる。
【００１４】
また、本発明にかかる一包化薬剤監査装置によれば、一包化された薬剤の上下面両方向から映し出された画像を、モニター上で同時に目視することができるため、分包袋に内包された薬剤が上下いずれの方向を向いていたとしても、分包袋を反転させることなく、薬剤に刻印された文字を読み取ることが可能となる。
【図面の簡単な説明】
【００１５】
【図１】図１は、本発明にかかる一包化薬剤監査装置の実施形態を示す説明図である（実施例１）。
【図２】図２は、本発明にかかる一包化薬剤監査装置の実施形態を示す説明図である（実施例２）。
【図３】図３は、本発明にかかる一包化薬剤監査装置の実施形態を示す説明図である（実施例３，実施例４）。
【発明を実施するための形態】
【００１６】
本発明は、上方カメラ２１と下方カメラ２２で撮影された一包化薬剤の上下両面画像をモニター３１上に同時に映し出すことで、正確かつ容易・迅速に監査を可能ならしめることを最大の特徴とする。以下、本発明にかかる一包化薬剤監査装置１の実施形態を、図面に基づき説明する。
【００１７】
なお、本発明は、下記の実施形態に示した構成に特に限定されるものではなく、本発明の技術的思想の要旨に逸脱しない範囲で任意に変更することができるものである。
【実施例１】
【００１８】
図１は、実施例１にかかる一包化薬剤監査装置１の実施形態を示す説明図である。
すなわち、本実施例にかかる一包化薬剤監査装置１は、分包袋載置台１１と、上方カメラ２１と、下方カメラ２２と、モニター３１と、で構成されている。
【００１９】
分包袋載置台１１は、平板状の透明板を備えて成り、該透明板の略中央箇所には、分包袋Ｂを載置するための載置部を有する構成となっている。該分包袋載置台１１に透明板を備えるのは、載置部に載置された分包袋Ｂの下面を、後述する下方カメラ２２により下方から撮影可能とするためである。
なお、該透明板について、その全てを透明とする態様のほか、分包袋Ｂの載置部のみを透明とする態様が考え得る。また、透明でなく半透明とする態様も考え得る。
【００２０】
前記透明板の上方及び下方には、所定間隔を置いて上方カメラ２１及び下方カメラ２２が夫々設置されており、前記透明板における載置部に載置された分包袋Ｂを、該上方カメラ２１及び下方カメラ２２を用いて、上下両方向から撮影することが可能となる。
本発明において上方カメラ２１及び下方カメラ２２として使用されるカメラについては、特に限定するものではないが、例えば、いわゆるＣＣＤカメラなどが用いられる。
【００２１】
上方カメラ２１−分包袋Ｂ間、および、下方カメラ２２−分包袋Ｂ間、の夫々の間隔は、略同一間隔であることが好ましい。すなわち、後述するモニター３１で映し出される上方カメラ２１の画像及び下方カメラ２２の画像における対応する薬剤の大きさが略同一となるようにするためである。
なお、上方カメラ２１の画像と下方カメラ２２の画像における対応する薬剤の大きさを略同一とする手法は、夫々のカメラレンズの照準調整によっても可能であるため、必ずしも略同一間隔であることを限定するものではない。
【００２２】
モニター３１は、撮影画像を映し出すものであって、前記上方カメラ２１及び前記下方カメラ２２により撮影された画像は、有線若しくは無線通信によりモニター３１画面上に映し出されることとなる。このとき、上方カメラ２１及び下方カメラ２２夫々の画像を映し出すべく、２台のモニター３１が設置され、一方のモニター３１に一方のカメラ画像が映し出されることとなる。
【００２３】
該モニター３１の画面中には、マウスにより遊動自在なポインター３２が存在し、モニター３１に映し出された薬剤Ｍ上にポインター３２を移動させてマウスをクリックすることで、監査済みの薬剤Ｍに印が付されるようにする態様が考え得る。このとき、２台のモニター３１のうち、一方のモニター３１画面上の薬剤Ｍに印を付した際に、他方のモニター３１に映し出されている対応する薬剤Ｍにも自動的に印が付されるように構成することが望ましい。
【００２４】
また、モニター３１について、タッチパネル方式のものを採用することが考え得る。タッチパネル方式を採用することにより、モニター３１に映し出された薬剤Ｍを画面上からタッチすることで、監査済みの薬剤Ｍに印が付されるようにすることが可能となる。このとき、２台のモニター３１のうち、一方のモニター３１の画面上をタッチして薬剤Ｍに印を付した際に、他方のモニター３１に映し出されている対応する薬剤Ｍにも自動的に印が付されるように構成することが望ましい。
【００２５】
なお、モニター３１画面上には、薬剤Ｍの監査ミスを無くすべく、前記上方カメラ２１及び前記下方カメラ２２により撮影された画像を映し出すと同時に、監査すべき薬剤Ｍの見本画像も一緒に映し出す態様も考え得る。
このとき、モニター３１上における薬剤Ｍ見本画像の位置については、特に限定はないが、例えばモニター３１画面上端部位置に映し出すなど、各カメラ画像の邪魔にならない画面端部に映し出すのが好ましい。
【００２６】
以上の通り構成される本発明にかかる一包化薬剤監査装置１によれば、分包袋載置台１１の透明板上の載置部に分包袋Ｂを載置することで、上方カメラ２１及び下方カメラ２２で撮影された分包袋Ｂに内包された薬剤Ｍの画像が、モニター３１を通して拡大して目視可能となり、監査人は該モニター３１画面を見ながら容易に薬剤Ｍの個数をカウントすることができるとともに、薬剤Ｍに刻印された文字を容易に読み取ることができるため、監査の正確性向上に資するとともに、監査労力の低減及び監査時間の短縮に資することとなる。
【実施例２】
【００２７】
図２は、実施例２にかかる一包化薬剤監査装置１の実施形態を示す説明図である。
すなわち、本実施例にかかる一包化薬剤監査装置１は、上述した実施例１における構成に、画像分割装置４１を付加した構成となっている。
【００２８】
画像分割装置４１は、モニター３１の画面を分割するもので、その分割されたモニター３１画面上に二以上の撮影画像を同時に映し出すことが可能となるものである。
該画像分割装置４１を用いることで、上述した実施例１と異なり、モニター３１の数は一つで足りることとなり、すなわち上方カメラ２１で撮影した画像と下方カメラ２２で撮影した画像とを、一のモニター３１画面上で見ることが可能となる。
【００２９】
なお、上記実施例１同様、本実施例においてもモニター３１の画面中にマウスにより遊動自在なポインター３２が存在し、モニター３１における分割された一方の画面に映し出された薬剤Ｍ上にポインター３２を移動させてマウスをクリックすることで、監査済みの薬剤Ｍに印が付され、それと同時に他方の画面に映し出されている対応する薬剤Ｍにも自動的に印が付されるように構成することが望ましい。
また、本実施例でモニター３１にタッチパネル方式を採用した場合には、モニター３１における分割された一方の画面上をタッチして薬剤Ｍに印を付した際に、分割された他方の画面上に映し出されている対応する薬剤Ｍにも自動的に印が付されるように構成することとなる。
【００３０】
本実施例によれば、上方カメラ２１及び下方カメラ２２で撮影した夫々の画像を一のモニター３１で目視することが可能となり、全体構造上の簡素化が図られるとともに、監査人の監査労力の低減にも資することとなる。
【実施例３】
【００３１】
図３は、実施例３にかかる一包化薬剤監査装置１の実施形態を示す説明図である。
すなわち、本実施例にかかる一包化薬剤監査装置１は、上述した実施例１または実施例２における構成に、薬剤個数認識機能を付加した構成となっている。
【００３２】
薬剤個数認識機能は、上方カメラ２１及び下方カメラ２２により撮影された画像を認識し、該画像における薬剤Ｍの個数を自動的にカウントする機能である。
すなわち、該薬剤個数認識機能は、夫々のカメラ２１，２２とモニター３１との画像送受信の中間において、画像から薬剤Ｍの個数を自動認識するためのプログラムが搭載されたコンピュータ５１を介することで行われる。カウントされた薬剤Ｍの個数は、例えばモニター３１上に表示される。
【００３３】
ところで、前記コンピュータ５１には、薬剤個数認識機能のほか、情報記録機能が備えられた態様が考え得る。すなわち、情報記録機能を備えさせることで、夫々のカメラ２１，２２で撮影された画像を監査日時とともにコンピュータ５１内に情報として記録しておくことを可能とし、後のクレーム対応等に資することとなる。
【００３４】
本実施例によれば、監査人による薬剤個数をカウントする労力を低減し、かつ、監査時間の短縮に資することとなる。
【実施例４】
【００３５】
また、図３は、実施例４にかかる一包化薬剤監査装置１の実施形態を示す説明図でもある。
すなわち、本実施例にかかる一包化薬剤監査装置１は、上述した実施例１乃至実施例３における構成に、刻印認識機能を付加した構成となっている。
【００３６】
刻印認識機能は、上方カメラ２１及び下方カメラ２２により撮影された画像を認識し、該画像における薬剤Ｍの刻印を自動的に読み取る機能である。
すなわち、該刻印認識機能は、夫々のカメラ２１，２２とモニター３１との画像送受信の中間において、画像から薬剤Ｍに刻印された文字を自動認識するためのプログラムが搭載されたコンピュータ５１を介することで行われる。認識された刻印文字は、例えばそのままモニター３１に表示されたり、あるいは、認識された刻印文字を薬剤名に変換した上で、モニター３１に表示されるようにすることも可能である。
【００３７】
このとき、コンピュータ５１内に予め監査すべき薬剤Ｍの刻印文字を登録しておき、登録された刻印文字と前記刻印認識機能により読み取られた刻印文字との照合作業を該コンピュータ５１内で自動的に行い、かかる照合結果をモニター３１に表示する態様も可能である。
【００３８】
また、コンピュータ５１に画像合成機能を備えさせ、前記刻印認識機能により薬剤Ｍの刻印文字を読み取ることで、上方カメラ２１または下方カメラ２２のいずれか一方のカメラ撮影画像から刻印面が映し出された薬剤Ｍの画像を抽出し、この抽出画像を他方のカメラ撮影画像における対応する薬剤Ｍの画像と置き換え合成することで、一の画面で全薬剤Ｍの刻印面を見ることができるようにすることも考え得る。
【００３９】
なお、前記コンピュータ５１には、刻印認識機能のほか、情報記録機能が備えられた態様が考え得ることは、前記実施例３と同様である。
【００４０】
本実施例によれば、監査人による薬剤Ｍに刻印された文字を読み取る労力を低減し、かつ、監査時間の短縮に資することとなる。
【産業上の利用可能性】
【００４１】
本発明は、一包化された薬剤Ｍの監査における正確性を担保しつつ、監査人による監査労力の低減に資するとともに、監査時間の短縮も図られることとなるため、本発明の産業上の利用可能性は非常に高いものと思量する。
【符号の説明】
【００４２】
１    一包化薬剤監査装置
１１    分包袋載置台
２１    上方カメラ
２２    下方カメラ
３１    モニター
３２    ポインター
４１    画像分割装置
５１    コンピュータ
Ｂ    分包袋
Ｍ    薬剤
【図１】
2012165876.tif 000003
【図２】
2012165876.tif 000004
【図３】
2012165876.tif 000005